(57)【要約】【課題】容器の内容物の使用制限が可能なポンプを提供する。【解決手段】ポンプ１は、固定部６と、内容物４を吐出するために固定部６に対して進退可能な作動部７と、固定部６に取付けられた回動部２９と、を備え、作動部７は、径方向に弾性変位及び復元変位可能な変位可能部３１を備え、回動部２９は、回動部２９が前進規制位置にあるときに、作動部７の前進を規制する前進規制部４６と、回動部２９が前進許容位置にあるときに、作動部７の前進に伴って変位可能部３１に押圧されることで、回動部２９を前進許容位置から前進規制位置まで回動させる被押圧部４８と、を備え、変位可能部３１は、回動部２９が前進規制位置にあるときに、作動部７の後退に伴って、復元変位により前進規制部４６の後方に復帰する。【選択図】図１
2020121756.tif 000002
【特許請求の範囲】
【請求項１】
容器の口部に固定される固定部と、
前記容器の内容物を吐出するために前記固定部に対して前記口部の軸方向にストローク前端とストローク後端との間で進退可能な作動部と、
前記口部の周方向に前進規制位置と前進許容位置との間で回動可能に前記固定部に取付けられた回動部と、を備え、
前記作動部は、前記口部の径方向に弾性変位及び復元変位可能な変位可能部を備え、
前記回動部は、
前記回動部が前記前進規制位置にあるときに、前記ストローク後端からの前記作動部の前進を、前記変位可能部に前方から当接することで規制する前進規制部と、
前記回動部が前記前進許容位置にあるときに、前記ストローク後端から前記ストローク前端までの前記作動部の前進に伴って前記変位可能部に押圧されることで、前記回動部を前記前進許容位置から前記前進規制位置まで回動させる被押圧部と、を備え、
前記変位可能部は、前記回動部が前記前進規制位置にあるときに、前記ストローク前端から前記ストローク後端までの前記作動部の後退に伴って、復元変位により前記前進規制部の後方に復帰する、
ポンプ。
【請求項２】
前記回動部が、前記前進規制位置から前記前進許容位置までの前記回動部の回動に伴って、前記変位可能部を押圧することで前記変位可能部を前記径方向に弾性変位させる押圧部を備える、請求項１に記載のポンプ。
【請求項３】
前記変位可能部が、前記口部の径方向内側に弾性変位可能であるとともに、前記口部の径方向外側に復元変位可能である、請求項１又は２に記載のポンプ。
【請求項４】
前記変位可能部が、
前記口部の周方向に延在する片持ち支持された弾性アームと、
前記弾性アームの先端部から復元変位方向に突出する突出部と、を備える単一又は複数のユニットからなる、
請求項１〜３のいずれか一項に記載のポンプ。
【発明の詳細な説明】
【技術分野】
【０００１】
本発明は、ポンプに関する。
【背景技術】
【０００２】
容器の口部に固定される固定部と、容器の内容物を吐出するために固定部に対して口部の軸方向に進退可能な作動部とを備えるポンプが知られている。このようなポンプは、例えば特許文献１に記載されるように、内容物を収容した容器に取り付けられた状態で、作動部を進退させるための操作を受ける毎に、内容物を吐出することができる。
【先行技術文献】
【特許文献】
【０００３】
【特許文献１】特開２０１７−１７８４４２号公報
【発明の概要】
【発明が解決しようとする課題】
【０００４】
前記のようなポンプを用いる場合には、作動部を進退させる操作を繰り返すことで、内容物を繰り返し吐出することができる。しかし、そのために内容物を過剰に使用してしまう場合がある。
【０００５】
本発明の目的は、容器の内容物の使用制限が可能なポンプを提供することにある。
【課題を解決するための手段】
【０００６】
本発明の一態様に係るポンプは、
容器の口部に固定される固定部と、
前記容器の内容物を吐出するために前記固定部に対して前記口部の軸方向にストローク前端とストローク後端との間で進退可能な作動部と、
前記口部の周方向に前進規制位置と前進許容位置との間で回動可能に前記固定部に取付けられた回動部と、を備え、
前記作動部は、前記口部の径方向に弾性変位及び復元変位可能な変位可能部を備え、
前記回動部は、
前記回動部が前記前進規制位置にあるときに、前記ストローク後端からの前記作動部の前進を、前記変位可能部に前方から当接することで規制する前進規制部と、
前記回動部が前記前進許容位置にあるときに、前記ストローク後端から前記ストローク前端までの前記作動部の前進に伴って前記変位可能部に押圧されることで、前記回動部を前記前進許容位置から前記前進規制位置まで回動させる被押圧部と、を備え、
前記変位可能部は、前記回動部が前記前進規制位置にあるときに、前記ストローク前端から前記ストローク後端までの前記作動部の後退に伴って、復元変位により前記前進規制部の後方に復帰する。
【０００７】
本発明に係るポンプは、前記回動部が、前記前進規制位置から前記前進許容位置までの前記回動部の回動に伴って、前記変位可能部を押圧することで前記変位可能部を前記径方向に弾性変位させる押圧部を備えてもよい。
【０００８】
本発明に係るポンプは、前記変位可能部が、前記口部の径方向内側に弾性変位可能であるとともに、前記口部の径方向外側に復元変位可能であってもよい。
【０００９】
本発明に係るポンプは、
前記変位可能部が、
前記口部の周方向に延在する片持ち支持された弾性アームと、
前記弾性アームの先端部から復元変位方向に突出する突出部と、を備える単一又は複数のユニットからなってもよい。
【発明の効果】
【００１０】
本発明によれば、容器の内容物の使用制限が可能なポンプを提供することができる。
【図面の簡単な説明】
【００１１】
【図１】本発明の実施形態に係るポンプを備えた吐出容器を前進規制状態で示す一部断面側面図である。
【図２】図１に示す吐出容器を、吐出ヘッドの押下げ後の状態で示す一部断面側面図である。
【図３】図１に示すポンプを構成するヘッド部材、カバー部材、袴部材、リング部材及びキャップ部材の分解斜視図である。
【図４】図３に示すリング部材を示す斜視図である。
【図５】図１に示す前進規制状態の吐出容器を部材の一部を省略して示す一部断面側面図である。
【図６】（ａ）は、図５のＡ−Ａ断面図であり、（ｂ）は、（ａ）のＢ−Ｂ断面図である。
【図７】図５に示す状態から前進規制解除操作を受けたときの状態を示す一部断面側面図である。
【図８】（ａ）は、図７のＡ−Ａ断面図であり、（ｂ）は、（ａ）のＢ−Ｂ断面図である。
【図９】図７に示す状態から押下げ操作を受けたときの状態を示す一部断面側面図である。
【図１０】（ａ）は、図９のＡ−Ａ断面図であり、（ｂ）は、（ａ）のＢ−Ｂ断面図である。
【発明を実施するための形態】
【００１２】
以下、図面を参照して、本発明の実施形態に係るポンプ１について詳細に例示説明する。なお、上下方向とは、容器２の口部２ａの軸方向（中心軸線Ｏに沿う方向）を意味し、上方とは、胴部２ｂから口部２ａに向かう方向（例えば図１における上方）であり、下方とはその反対方向である。また、口部２ａの径方向、径方向内側及び径方向外側を、単に径方向、径方向内側及び径方向外側ともいい、口部２ａの周方向を単に周方向ともいう。
【００１３】
図１に示すように、本実施形態に係るポンプ１は、容器２に装着されて吐出容器３を構成している。容器２は、液状の内容物４を収容する収容空間５に連通する開口を内側に区画する筒状の口部２ａを備えている。本実施形態では口部２ａの形状は円筒状であるが、これに限定されない。容器２は、口部２ａに連なる有底筒状の胴部２ｂを備え、内側に収容空間５を区画している。胴部２ｂの形状は、本実施形態では口部２ａより拡径した有底円筒状をなしているが、これに限定されない。容器２は、例えば合成樹脂、ガラス又は金属製であってよい。吐出容器３は、図示しない有頂円筒状のオーバーキャップを備えており、胴部２ｂの上部には、このオーバーキャップを嵌合可能な円環状の段部２ｃが設けられている。なお、吐出容器３は、オーバーキャップを有さない構成であってもよい。
【００１４】
また、容器２は、筒状の外口部と外口部に連なる有底筒状の胴部とを有する外層体と、外口部と協働して口部を構成する内口部と内口部に連なるとともに胴部と独立して減容変形可能な収容部とを有する内層体と、外層体と内層体との間に外気を導入可能な外気導入口と、を備える二重容器であってもよい。この場合、外気導入口は、内口部と外口部とで構成されてもよいし、外口部を貫通する貫通孔で構成されてもよいし、胴部を貫通する貫通孔で構成されてもよい。二重容器は、外層体と内層体とが剥離可能に積層された積層剥離容器であってもよいし、外層体と内層体とが予め剥離した構成であってもよい。二重容器は、積層パリソンに対してブロー成形を施す押出しブロー成形（ＥＢＭ：Extrusion Blow Molding）によって形成してもよいし、積層プリフォームに対してブロー成形を施す二軸延伸ブロー成形によって形成してもよいし、外層体と内層体とを別個に形成した後に組合せて形成してもよい。
【００１５】
内容物４は、本実施形態では外用薬である。しかし、内容物４の種類は特に限定されず、例えば内用薬又はその他の薬液であってもよく、その粘度も特に限定されない。内容物４は、薬剤以外の液状物であってもよい。
【００１６】
図１〜図２に示すように、ポンプ１は、容器２の口部２ａに固定される固定部６と、容器２の内容物４を吐出するために固定部６に対して口部２ａの軸方向にストローク前端とストローク後端との間で進退可能な作動部７と、を備えている。本実施形態では、ポンプ１は、収容空間５に配置される吸込口と、内容物４を吐出する吐出口８と、固定部６と作動部７とによって、吸込口から吐出口８までの流路に区画されるとともに、作動部７の前進（下降）によって容積が減少し、作動部７の後退（上昇）によって容積が増加するポンプ室と、ポンプ室より上流側に位置する上流側逆流防止部と、ポンプ室より下流側に位置する下流側逆流防止部と、作動部７を後退方向に付勢する弾性体１２（例えばコイルばね）と、を備えている。また、固定部６は、シリンダ１３を備え、作動部７は、シリンダ１３の内面を摺動可能なピストンを備えている。
【００１７】
作動部７は、吐出口８を有するとともに前進方向に押下げ操作可能な吐出ヘッド１５を備えている。吐出口８は本実施形態では横向きとなっているが、その向きは適宜変更が可能である。吐出ヘッド１５は、本実施形態ではヘッド部材１６と袴部材１７とで構成されている。しかし、ヘッド部材１６と袴部材１７とは一体に成形されてもよい。
【００１８】
固定部６は、シリンダ１３を有するシリンダ部材１８と、シリンダ部材１８に固着された円環状の封止部材１９と、シリンダ部材１８を口部２ａに固定するために口部２ａに装着されるキャップ部材２０と、を備えている。キャップ部材２０は、本実施形態では、口部２ａの外周面に設けられた係合部（雄ねじ部）に螺合によって係止される被係合部（雌ねじ部）を有している。しかし、キャップ部材２０は、口部２ａの外周面に設けられた係合部に打栓によって係止される被係合部を有していてもよい。シリンダ部材１８は、円筒状のシリンダ１３の上端部から径方向外側に延在する円環状のフランジ１８ａを有している。封止部材１９は、フランジ１８ａの下面に固着されている。固定部６の形状又は部材構成等は、適宜変更が可能である。
【００１９】
作動部７は、前述したヘッド部材１６及び袴部材１７の他に、ヘッド部材１６に接続する接続部材２４と、接続部材２４に固定された管状のステム部材２５と、を備えている。しかし、作動部７の形状又は部材構成等は、適宜変更が可能である。
【００２０】
本実施形態では、ポンプ１は、口部２ａの周方向に前進規制位置と前進許容位置との間で回動可能に固定部６に取付けられた回動部２９を備えている。回動部２９は、口部２ａの周方向に回動可能にキャップ部材２０に取付けられたリング部材３０ａと、リング部材３０ａに固定されたカバー部材３０ｂと、で構成されている。しかし、回動部２９の部材構成等は適宜変更が可能である。
【００２１】
図３に示すように、作動部７の袴部材１７は、口部２ａの径方向に弾性変位及び復元変位可能な、２つのユニット３１ａ、３１ｂからなる変位可能部３１を備えている。変位可能部３１は、作動部７における袴部材１７以外の部分に設けてもよい。変位可能部３１の各ユニット３１ａ、３１ｂは、口部２ａの周方向に延在する片持ち支持された弾性アーム３２と、弾性アーム３２の先端部から復元変位方向に突出する第１突出部３３と、弾性アーム３２の先端部から弾性変位方向に突出する第２突出部３４と、を備えている。本実施形態では、変位可能部３１の各ユニット３１ａ、３１ｂは、口部２ａの径方向内側に弾性変位可能（図８（ａ）等参照）であるとともに、口部２ａの径方向外側に復元変位可能（図６（ａ）参照）である。
【００２２】
図３に示すように、作動部７の袴部材１７は、固定部６のキャップ部材２０に設けられた案内部３５に進退方向に案内される被案内部３６を有している。袴部材１７の被案内部３６は、本実施形態では、２つのユニット３６ａ、３６ｂからなっている。被案内部３６の各ユニット３６ａ、３６ｂは、凸部で構成されている。案内部３５は、被案内部３６の各ユニット３６ａ、３６ｂを案内するように構成されている。案内部３５は、縦溝で構成された２つのユニット３５ａ、３５ｂからなっている。本実施形態では、案内部３５の各ユニット３５ａ、３５ｂは、キャップ部材２０の周壁３７の内周面に設けられている。
【００２３】
図１及び図３に示すように、キャップ部材２０は、口部２ａに装着される円筒状の装着壁３８と、装着壁３８の上端部から径方向内側に延在する円環状の内向きフランジ３９と、装着壁３８の上端部から径方向外側に延在する外向きフランジ４０と、外向きフランジ４０の外周縁部から垂下する外周壁４１と、外向きフランジ４０から上方に延在する周壁３７と、を備えている。周壁３７の上端部には、外周面が段差状に縮径した縮径部３７ａが設けられている。
【００２４】
袴部材１７は、ヘッド部材１６の円筒状の筒壁１６ａに固定されている。筒壁１６ａは、ヘッド部材１６の下部に設けられており、円環状の下端面を有している。図３に示すように、袴部材１７は、ヘッド部材１６の筒壁１６ａの下端面に当接する上面を有するとともに被案内部３６を有する、周方向に間隔を空けて配置された２つのユニット４２ａ、４２ｂからなるベース部４２と、ベース部４２の各ユニット４２ａ、４２ｂに連なるとともにヘッド部材１６の筒壁１６ａより径方向内側に配置されるオフセット部４３のユニット４３ａ、４３ｂと、を備える環状をなしている。
【００２５】
ベース部４２の各ユニット４２ａ、４２ｂは、筒壁１６ａの外周面に設けられた２つのユニット４５ａ、４５ｂからなる嵌合凸部４５と嵌合することでヘッド部材１６を袴部材１７に固定する外壁４４を有している。ベース部４２の各ユニット４２ａ、４２ｂは、周方向に離間した２つの上面視円弧形状をなす部分壁６０と、これらの部分壁６０を連結するとともに径方向外側に張り出す上面視Ｕ字形状をなす中央壁６１と、を備えている。これらの中央壁６１により、被案内部３６のユニット３６ａ、３６ｂが構成されている。嵌合凸部４５の各ユニット４５ａ、４５ｂは、中央壁６１の内周面に、ヘッド部材１６の袴部材１７に対する周方向両側への移動が規制されるように当接可能に構成されている。また、嵌合凸部４５の各ユニット４５ａ、４５ｂは、中央壁６１の上部に設けられた庇部６２に下方から当接することでヘッド部材１６の袴部材１７に対する上方への移動が規制されるように構成されている。したがって、ベース部４２の各ユニット４２ａ、４２ｂの外壁４４は、中央壁６１と庇部６２とで構成されている。
【００２６】
ベース部４２の各ユニット４２ａ、４２ｂの２つの部分壁６０は、それぞれ、筒壁１６ａの下端面に、ヘッド部材１６の袴部材１７に対する下方への移動が規制されるように当接可能な上面を有している。ベース部４２の各ユニット４２ａ、４２ｂは、２つの部分壁６０の一方に設けられるとともにヘッド部材１６の袴部材１７に対する径方向外側への移動が規制されるように筒壁１６ａの外周面に当接可能な外側壁６３を備えている。なお、２つの部分壁６０の両方に外側壁６３を設ける構成としてもよい。また、ベース部４２の各ユニット４２ａ、４２ｂにおける周方向の端部には、変位可能部３１のユニット３１ａ、３１ｂにおける弾性アーム３２の基端部が連なっている。
【００２７】
図４及び図６に示すように、リング部材３０ａは、前進規制部４６と、押圧部４７と、被押圧部４８と、を備えている。前進規制部４６は、回動部２９が前進規制位置にあるときに、ストローク後端からの作動部７の前進を、変位可能部３１の各ユニット３１ａ、３１ｂの第１突出部３３に前方から当接することで規制するように構成されている。前進規制部４６は、変位可能部３１の各ユニット３１ａ、３１ｂの第１突出部３３に前方から当接したときに、その当接によって作動部７の前進を阻止することができる。前進規制部４６は、本実施形態では、上面視円弧状の平坦な上面で構成される２つのユニット４６ａ、４６ｂからなっている。
【００２８】
図４及び図８に示すように、押圧部４７は、前進規制位置から前進許容位置までの回動部２９の周方向一方側Ｄ１への回動に伴って、変位可能部３１の各ユニット３１ａ、３１ｂの第１突出部３３を押圧することで変位可能部３１の各ユニット３１ａ、３１ｂの第１突出部３３を径方向内側に弾性変位させるように構成されている。押圧部４７は、本実施形態では、周方向一方側Ｄ１に向けて径方向外側に傾斜する傾斜面で構成される２つのユニット４７ａ、４７ｂからなっている。
【００２９】
図４及び図１０に示すように、被押圧部４８は、回動部２９が前進許容位置にあるときに、ストローク後端からストローク前端までの作動部７の前進に伴って変位可能部３１の各ユニット３１ａ、３１ｂの第１突出部３３に押圧されることで、回動部２９を前進許容位置から前進規制位置まで周方向他方側Ｄ２へ回動させるように構成されている。被押圧部４８は、本実施形態では、周方向一方側Ｄ１に向けて下方に傾斜する傾斜面で構成される２つのユニット４８ａ、４８ｂからなっている。
【００３０】
変位可能部３１の各ユニット３１ａ、３１ｂは、回動部２９が前進規制位置にあるときに、ストローク前端（図１０参照）からストローク後端（図６参照）までの作動部７の後退に伴って、復元変位により前進規制部４６の後方に復帰するように構成されている。
【００３１】
図１、図４に示すように、リング部材３０ａは、キャップ部材２０の周壁３７の縮径部３７ａに上方に抜け止め可能に且つ周方向に回動可能に嵌合する円筒状の外筒４９と、外筒４９の上端縁から径方向内側に延在する円環状の内向きフランジ５０と、を備えている。内向きフランジ５０の下面は、縮径部３７ａの上面に周方向に摺動可能に接している。内向きフランジ５０の内周縁部には、円筒状の上壁５１が立設されている。上壁５１の上端縁には、内壁５３が連結されている。内壁５３は、２つのユニット５３ａ、５３ｂからなっている。
【００３２】
内壁５３の各ユニット５３ａ、５３ｂは、上壁５１の上端縁から径方向内側に局所的に突出する第１連結壁５４ａと、第１連結壁５４ａより周方向一方側Ｄ１に位置するとともに上壁５１の上端縁から径方向内側に局所的に突出する第２連結壁５４ｂと、を備えている。第１連結壁５４ａの周方向一方側Ｄ１の端縁には、第１垂下壁５５ａが垂設されている。第２連結壁５４ｂの周方向他方側Ｄ２の端縁には、第２垂下壁５５ｂが垂設されている。
【００３３】
第１垂下壁５５ａと第２垂下壁５５ｂとは、上面視円弧状の第１壁５６によって連結されている。第１壁５６の上部には、前進規制部４６を構成する、平坦な上面が設けられている。また、第１壁５６は、前進規制部４６から上方に延在するとともに押圧部４７を構成する、周方向一方側Ｄ１に向けて径方向外側に傾斜する傾斜面を有している。
【００３４】
第１壁５６における押圧部４７から周方向他方側Ｄ２に向かう部分には、径方向内側に突出する上面視円弧状の第２壁５７が設けられている。第２壁５７は、被押圧部４８を構成する、周方向一方側Ｄ１に向けて下方に傾斜する傾斜面を有している。第２壁５７の周方向他方側Ｄ２の端縁は、第１垂下壁５５ａに連なっている。なお、内壁５３の形状等は適宜変更が可能である。
【００３５】
図１、図３に示すように、カバー部材３０ｂは、リング部材３０ａの上壁５１に上方に抜け止め可能に且つ周方向両側への回動を規制可能に嵌合する円筒状の外筒壁７０と、外筒壁７０の上端縁から径方向内側に延在する円環状の内向きフランジ壁７１と、を備えている。内向きフランジ壁７１の下面は、内壁５３の各ユニット５３ａ、５３ｂにおける第１連結壁５４ａ及び第２連結壁５４ｂの上面に接している。
【００３６】
図１に示すように、本実施形態では、カバー部材３０ｂの外筒壁７０の外周面と、リング部材３０ａの外筒４９の外周面とで、回動部２９を前進規制位置から前進許容位置まで回動させる前進規制解除操作を受ける操作部２９ａが構成されている。
【００３７】
なお、シリンダ部材１８、キャップ部材２０、ヘッド部材１６、袴部材１７、接続部材２４、ステム部材２５、カバー部材３０ｂ及びリング部材３０ａは、それぞれ、合成樹脂製であってよい。封止部材１９は、例えばゴム又はエラストマー製であってよい。
【００３８】
本実施形態に係るポンプ１は、図５、図６に示すように、前進規制部４６によって作動部７の前進が規制された前進規制状態から、操作部２９ａへの前進規制解除操作により、図７、図８に示すように、作動部７の前進が許容される前進許容状態に移行可能である。また、ポンプ１は、前進許容状態から、吐出ヘッド１５への押下げ操作によって作動部７がストローク後端からストローク前端まで前進することで、図９、図１０に示すように、回動部２９が前進規制位置まで回動し、吐出ヘッド１５への押下げ操作の解除によって作動部７がストローク後端まで復帰し、図５、図６に示すように、前進規制状態に復帰可能である。したがって、本実施形態に係るポンプ１によれば、ポンプ機構による定量吐出が可能であることは勿論、内容物４の吐出操作の度に前進規制解除操作を必要とすることで、内容物４の使用量を制限することができる。
【００３９】
前述した本実施形態は、本発明の実施形態の一例にすぎず、発明の要旨を逸脱しない範囲で種々変更可能であることはいうまでもない。
【００４０】
前記の実施形態では、変位可能部３１が２つのユニット３１ａ、３１ｂからなっている。しかし、変位可能部３１は、３つ以上のユニットからなっていてもよいし、単一のユニットからなっていてもよい。また、案内部３５、被案内部３６、ベース部４２、オフセット部４３、前進規制部４６、押圧部４７、被押圧部４８及び内壁５３等のユニットの数も、変位可能部３１のユニットの数に合わせて変更が可能である。
【００４１】
また、前記の実施形態では、ポンプ１は、吐出ヘッド１５を備える押下げ操作式のものとして構成されている。しかし、ポンプ１は、トリガーを備える牽曳操作式のものなど、他の操作式のものとして構成されてもよい。また、前記の実施形態では、ポンプ１は、内容物４を液状のまま又は霧状にして吐出するように構成されている。しかし、ポンプ１は、適宜発泡部材を流路内に配置するなどして、内容物４を泡状に吐出するように構成されてもよい。
【符号の説明】
【００４２】
１  ポンプ
２  容器
２ａ  口部
２ｂ  胴部
２ｃ  段部
３  吐出容器
４  内容物
５  収容空間
６  固定部
７  作動部
８  吐出口
１２  弾性体
１３  シリンダ
１５  吐出ヘッド
１６  ヘッド部材
１６ａ  筒壁
１７  袴部材
１８  シリンダ部材
１８ａ  フランジ
１９  封止部材
２０  キャップ部材
２４  接続部材
２５  ステム部材
２９  回動部
２９ａ  操作部
３０ａ  リング部材
３０ｂ  カバー部材
３１  変位可能部
３１ａ、３１ｂ  変位可能部のユニット
３２  弾性アーム
３３  第１突出部
３４  第２突出部
３５  案内部
３５ａ、３５ｂ  案内部のユニット
３６  被案内部
３６ａ、３６ｂ  被案内部のユニット
３７  周壁
３７ａ  縮径部
３８  装着壁
３９  内向きフランジ
４０  外向きフランジ
４１  外周壁
４２  ベース部
４２ａ、４２ｂ  ベース部のユニット
４３  オフセット部
４３ａ、４３ｂ  オフセット部のユニット
４４  外壁
４５  嵌合凸部
４５ａ、４５ｂ  嵌合凸部のユニット
４６  前進規制部
４６ａ、４６ｂ  前進規制部のユニット
４７  押圧部
４７ａ、４７ｂ  押圧部のユニット
４８  被押圧部
４８ａ、４８ｂ  被押圧部のユニット
４９  外筒
５０  内向きフランジ
５１  上壁
５３  内壁
５３ａ、５３ｂ  内壁のユニット
５４ａ  第１連結壁
５４ｂ  第２連結壁
５５ａ  第１垂下壁
５５ｂ  第２垂下壁
５６  第１壁
５７  第２壁
６０  部分壁
６１  中央壁
６２  庇部
６３  外側壁
７０  外筒壁
７１  内向きフランジ壁
Ｏ  中心軸線
Ｄ１  周方向一方側
Ｄ２  周方向他方側
【図１】
2020121756.tif 000003
【図２】
2020121756.tif 000004
【図３】
2020121756.tif 000005
【図４】
2020121756.tif 000006
【図５】
2020121756.tif 000007
【図６】
2020121756.tif 000008
【図７】
2020121756.tif 000009
【図８】
2020121756.tif 000010
【図９】
2020121756.tif 000011
【図１０】
2020121756.tif 000012